(57)【要約】  【課題】液を拡散させて吸収体全体を有効に活用して漏れを確実に防止できる使い捨て吸収性物品を提供する。  【解決手段】透液性表面シート２と不透液性裏面シート３との間に吸収体４を配設する。吸収体４の上層吸収体５と下層吸収体６との間に液拡散性シート７を配設する。上層吸収体５と下層吸収体６との間に液拡散層を形成できる。透液性表面シート２を介して上層吸収体５を通過した液を液拡散性シート７で拡散してから下層吸収体６で吸収できる。吸収体４を効率良く使用できる。吸収体４で液の漏れをより確実に防止できる。  【選択図】図１
2006167196.tif 000002
【特許請求の範囲】
【請求項１】
透液性表面シートと、不透液性裏面シートと、これら透液性表面シートおよび不透液性裏面シートの間に配設された長手方向を有する吸収体とを具備し、
前記吸収体は、前記透液性表面シート側に位置する上層吸収体と、前記不透液性裏面シート側に位置する下層吸収体とが重ね合わされて構成され、
前記上層吸収体は、長手寸法が前記下層吸収体の長手寸法と略等しく、幅寸法が前記下層吸収体の幅寸法より小さく、
これら上層吸収体および下層吸収体の間には、これら上層吸収体および下層吸収体の長手方向に沿った長手方向を有する液拡散性シートが配設され、
この液拡散性シートは、長手寸法が前記上層吸収体の長手寸法に略等しく、幅寸法が前記上層吸収体の幅寸法より小さい
ことを特徴とした使い捨て吸収性物品。
【請求項２】
上層吸収体および下層吸収体のそれぞれは、パルプと高分子吸収材とを有し、
前記パルプの質量および坪量それぞれは、前記上層吸収体より前記下層吸収体の方が大きく、
前記高分子吸収材の質量は、前記上層吸収体より前記下層吸収体の方が大きく、
前記高分子吸収体の坪量は、前記下層吸収体より前記上層吸収体の方が大きい
ことを特徴とした請求項１記載の使い捨て吸収性物品。
【請求項３】
液拡散性シートは、上層吸収体および下層吸収体のいずれかに部分的に接合され、
前記上層吸収体には、長手方向の一端部および他端部のいずれかに変位した位置に長手方向に沿った開口部が形成され、
この開口部では、透液性表面シートと液拡散性シートとが接合されている
ことを特徴とした請求項１または２記載の使い捨て吸収性物品。
【請求項４】
液拡散性シートと下層吸収体との間の層間部に高分子吸収材が配設され、
前記下層吸収体の高分子吸収材の質量より、上層吸収体の高分子吸収材の質量が小さく、
この上層吸収体の高分子吸収材の質量より、前記層間部の高分子吸収材の質量が小さい
ことを特徴とした請求項１ないし３いずれか記載の使い捨て吸収性物品。
【発明の詳細な説明】
【技術分野】
【０００１】
本発明は、乳幼児用、大人用または失禁用パッドなどの使い捨て吸収性物品に関する。
【背景技術】
【０００２】
従来、この種の使い捨て吸収性物品としては、少なくとも透液性表面シート、不透液性裏面シートおよびこの透液性表面シートと不透液性裏面シートとの間に配設された吸収体とを有する吸収性物品本体を備えている。この吸収性物品本体の上面に、この吸収性物品本体の長手方向に沿って配設された拡散シートが接合され、この拡散シートの上面に、吸収性物品本体の長手方向に沿って配設した透液性上面シートが接合された構成が知られている(例えば、特許文献１参照。)。
【特許文献１】特許第３４７４４９７号公報
【発明の開示】
【発明が解決しようとする課題】
【０００３】
しかしながら、上述の使い捨て吸収性物品では、拡散シートによって液が拡散される効果があるものの、透液性表面シートや透液性上面シート、拡散シートでは液を吸収できないため、これら透液性表面シート、透液性上面シートおよび拡散シートに残ってしまった液が逆戻りして肌を濡らしたりしてしまうおそれがある。また、拡散シートの上面に液を吸収させる吸収体が存在しないため、この吸収体による液の吸収量が十分でなく、液が漏れてしまうおそれもあるという問題を有している。
【０００４】
本発明は、このような点に鑑みなされたもので、液を拡散させて吸収体全体を有効に活用して漏れを確実に防止できる使い捨て吸収性物品を提供することを目的とする。
【課題を解決するための手段】
【０００５】
請求項１記載の使い捨て吸収性物品は、透液性表面シートと、不透液性裏面シートと、これら透液性表面シートおよび不透液性裏面シートの間に配設された長手方向を有する吸収体とを具備し、前記吸収体は、前記透液性表面シート側に位置する上層吸収体と、前記不透液性裏面シート側に位置する下層吸収体とが重ね合わされて構成され、前記上層吸収体は、長手寸法が前記下層吸収体の長手寸法と略等しく、幅寸法が前記下層吸収体の幅寸法より小さく、これら上層吸収体および下層吸収体の間には、これら上層吸収体および下層吸収体の長手方向に沿った長手方向を有する液拡散性シートが配設され、この液拡散性シートは、長手寸法が前記上層吸収体の長手寸法に略等しく、幅寸法が前記上層吸収体の幅寸法より小さいものである。
【０００６】
そして、上層吸収体と下層吸収体との間の液拡散性シートによって、これら上層吸収体と下層吸収体との間に液拡散層が形成される。したがって、上層吸収体を通った液が液拡散性シートによって拡散されて下層吸収体に吸収されるので、吸収体を効率良く使用できるから、液の漏れを防止できる。また、液拡散性シートの長手寸法を上層吸収体の長さ寸法と略等しくし、この液拡散性シートの幅寸法を上層吸収体より小さくしたことにより、液が液拡散性シートによって長手方向に沿って拡散されるから、液が幅方向にしみ出すことを防止できる。よって、液を拡散させて吸収体全体を有効に活用して漏れを確実に防止できる。
【０００７】
請求項２記載の使い捨て吸収性物品は、請求項１記載の使い捨て吸収性物品において、上層吸収体および下層吸収体のそれぞれは、パルプと高分子吸収材とを有し、前記パルプの質量および坪量それぞれは、前記上層吸収体より前記下層吸収体の方が大きく、前記高分子吸収材の質量は、前記上層吸収体より前記下層吸収体の方が大きく、前記高分子吸収体の坪量は、前記下層吸収体より前記上層吸収体の方が大きいものである。
【０００８】
そして、高分子吸収材によって上層吸収体および下層吸収体のそれぞれにおいて液が確実に吸収されるとともに、上層吸収体の高分子吸収材の坪量を下層吸収体の高分子吸収材の坪量より大きくしたことにより、液の逆戻りを防止できる。
【０００９】
請求項３記載の使い捨て吸収性物品は、請求項１または２記載の使い捨て吸収性物品において、液拡散性シートは、上層吸収体および下層吸収体のいずれかに部分的に接合され、前記上層吸収体には、長手方向の一端部および他端部のいずれかに変位した位置に長手方向に沿った開口部が形成され、この開口部では、透液性表面シートと液拡散性シートとが接合されているものである。
【００１０】
そして、開口部には上層吸収体が配設されていないので、開口部に位置する透液性表面シートから液が入るとすぐに、この液が液拡散性シートに伝わるから、この液を拡散性シートにて拡散しやすくなる。液拡散性シートが上層吸収体および下層吸収体のいずれかに部分的に接合され、この透液性表面シートが開口部で透液性表面シートに接合されているので、この液拡散性シートがずれにくい。
【００１１】
請求項４記載の使い捨て吸収性物品は、請求項１ないし３のいずれか記載の使い捨て吸収性物品において、液拡散性シートと下層吸収体との間の層間部に高分子吸収材が配設され、前記下層吸収体の高分子吸収材の質量より、上層吸収体の高分子吸収材の質量が小さく、この上層吸収体の高分子吸収材の質量より、前記層間部の高分子吸収材の質量が小さいものである。
【００１２】
そして、液拡散性シートと下層吸収体との間の層間部に高分子吸収材が配設され、この高分子吸収材の質量は、下層吸収体より上層吸収体の方が小さく、この上層吸収体より層間部の方が小さいので、液拡散性シートによって拡散されて広がった液が、層間部に位置する高分子吸収材によって確実に吸収できる。
【発明の効果】
【００１３】
請求項１記載の使い捨て吸収性物品によれば、上層吸収体を通った液が液拡散性シートにて拡散されて下層吸収体に吸収されるので、吸収体を効率良く使用できるから、液の漏れを防止できる。また、液が液拡散性シートにて長手方向に沿って拡散されるから、液が幅方向にしみ出すことを防止できる。よって、液を拡散させて吸収体全体を有効に活用して漏れを確実に防止できる。
【００１４】
請求項２記載の使い捨て吸収性物品によれば、高分子吸収材によって上層吸収体および下層吸収体のそれぞれにおいて液を確実に吸収できるとともに、上層吸収体の高分子吸収材の坪量を下層吸収体の高分子吸収材の坪量より大きくしたことにより、液の逆戻りを防止できる。
【００１５】
請求項３記載の使い捨て吸収性物品によれば、開口部に位置する透液性表面シートから液が入ると、この液がすぐに液拡散性シートに伝わるから、この液を拡散性シートで拡散しやすくできる。また、液拡散性シートが上層吸収体および下層吸収体のいずれかに部分的に接合され、この透液性表面シートが開口部で透液性表面シートに接合されているので、この液拡散性シートをずれにくい。
【００１６】
請求項４記載の使い捨て吸収性物品によれば、液拡散性シートと下層吸収体との間の層間部に高分子吸収材を配設し、この高分子吸収材の質量が、下層吸収体より上層吸収体の方が小さく、この上層吸収体より層間部の方が小さいので、液拡散性シートにて拡散されて広がった液が、層間部に位置する高分子吸収材にて確実に吸収できる。
【発明を実施するための最良の形態】
【００１７】
次に、本発明の使い捨て吸収性物品の第１の実施の形態の構成を使い捨ておむつについて図面を参照して説明する。
【００１８】
図１および図２において、１は吸収性物品本体である。この吸収性物品本体１は、液透過性を有する透液性表面シート２と、液不透過性を有する不透液性裏面シート３と、この透液性表面シート２および不透液性裏面シート３の間に配設された液吸収性を有する吸収体４とを具備している。
【００１９】
そして、この吸収性部品本体１は、図１に示すように、展開状態で長手方向の中央部を中心として略線対称に形成されているとともに、幅方向の中央部を中心として線対称の左右対称に形成されて、略砂時計形状となっている。すなわち、この吸収性物品本体１は、長手方向に沿って一端側に前側部分1aが形成されており、他端側に後側部分1bとが形成されて、これら前側部分1aおよび後側部分1bにて構成されている。
【００２０】
さらに、透液性表面シート２は、尿などの排泄液を吸収体４へ透過できるように液透過性を有しており、例えば織布、不織布、多孔性フィルム、合成繊維などにて吸収性物品本体１の略全表面を覆う形状に成形されている。
【００２１】
また、不透液性裏面シート３は、上面周縁部が透液性表面シート２の下面周辺部に接着剤などで接合されて、吸収性物品本体１の略全裏面を覆う形状に成形されている。そして、この不透液性裏面シート３は、尿などの排泄液にて下着などの他の衣類、或いはシートなどを汚損しないように液不透過性を有しており、例えばポリエチレン樹脂などの合成樹脂にて成形されている。
【００２２】
さらに、吸収体４は、長手方向の中央部を中心として略線対称に形成されているとともに、幅方向の中央部を中心として線対称に形成されて、吸収性部品本体１より一回り小さい略砂時計形状となっている。ここで、この吸収体４は、吸収性物品本体１より小さな相似形に形成されている。
【００２３】
また、この吸収体４は、透液性表面シート２の下面中央部と不透液性裏面シート３の上面中央部との間に扁平状に配設されており、吸収性物品本体１の少なくとも長手方向の中央域を含む位置に配設されている。
【００２４】
そして、この吸収体４は、透液性表面シート２側に位置する上層吸収体５と、不透液性裏面シート３側に位置する下層吸収体５とが重ね合わされて構成されている。この下層吸収体６は、吸収性物品本体１より小さな相似形である略砂時計形状に形成されている。言い換えると、この下層吸収体６は、長手方向の中央部の両側部がそれぞれ凹状に切り欠かれた略砂時計形状に形成されている。そして、この下層吸収体６は、吸収性物品本体１の長手方向および幅方向それぞれの中央部に取り付けられている。
【００２５】
また、上層吸収体５は、下層吸収体６の長手寸法と略等しい長手寸法を有するとともに、この下層吸収体６の長手方向の中央部に位置する最も幅寸法が小さな股下部1cの幅寸法より小さな幅寸法を有する細長矩形状に形成されている。すなわち、これら上層吸収体５および下層吸収体６は、長手寸法が略等しく、かつ上層吸収体５の幅寸法より下層吸収体６の幅寸法が大きく形成されて、この下層吸収体６が上層吸収体５より幅広に形成されている。
【００２６】
そして、この上層吸収体５は、この上層吸収体５の幅方向の中心を、下層吸収体６の幅方向の中央部に対向させつつ、下層吸収体６の長手方向に長手方向を揃えた状態で、この下層吸収体６上に重ね合わされている。さらに、これら上層吸収体５および下層吸収体６のそれぞれは、図示しないパルプと高分子吸収材とを有している。具体的に、これら上層吸収体５および下層吸収体６は、尿などの排泄生理液を吸収できる、例えばパルプを主材料として一部に高分子吸材などの物質を含んだ材料がティッシュにて包んで覆われて形成されている。
【００２７】
ここで、上層吸収体５のパルプの質量および坪量は、下層吸収体６のパルプの質量および坪量より大きい。したがって、このパルプの質量は、上層吸収体５よりも下層吸収体６の方が大きい。さらに、このパルプの坪量である目付量は、上層吸収体５よりも下層吸収体６の方が大きい。また、この上層吸収体５の高分子吸収材の質量は、下層吸収体６の高分子吸収材の質量より少ない。さらに、この上層吸収体５の高分子吸収材の坪量は、下層吸収体６の高分子吸収材の坪量より大きい。したがって、この高分子吸収材の質量は、上層吸収体５より下層吸収体６の方が大きい。さらに、この高分子吸収材の坪量である目付量は、下層吸収体６より上層吸収体５の方が大きい。
【００２８】
具体的に、これら上層吸収体５および下層吸収体６のパルプの坪量は、１００ｇ／ｍ２以上４００ｇ／ｍ２の範囲で、上層吸収体５＜下層吸収体６となるようにするのが好ましい。また、これら上層吸収体５および下層吸収体６の高分子吸収材の坪量は、５０ｇ／ｍ２以上２００ｇ／ｍ２の範囲で、上層吸収体５＞下層吸収体６となるようにするのが好ましい。
【００２９】
例えば、上層吸収体５の面積が０．０４ｍ２で、下層吸収体６の面積が０．０８ｍ２であって、上層吸収体５のパルプの質量が５ｇ、下層吸収体６のパルプの質量が１６ｇで、上層吸収体５の高分子吸収材が４ｇ、下層吸収体６の高分子吸収材が６ｇである場合には、上層吸収体５のパルプの坪量が１２５ｇ／ｍ２となり、下層吸収体６のパルプの坪量が２００ｇ／ｍ２となるとともに、上層吸収体５の高分子吸収材の坪量が１００ｇ／ｍ２となり、下層吸収体６の高分子吸収材の坪量が７５ｇ／ｍ２となる。
【００３０】
ここで、上層吸収体５に含まれている高分子吸収材は、下層吸収体６に含まれている高分子吸収材よりも吸収速度が遅いものが好ましい。例えば、ボルテックス法で、上層吸収体５に含まれている高分子吸収材の吸収速度が４０秒以上で、下層吸収体６に含まれている高分子吸収材の吸収速度が４０秒以下とされている。さらに、下層吸収体６に含まれてる高分子吸収材は、上層吸収体５に含まれている高分子吸収材より吸収量の多いものが好ましい。
【００３１】
また、これら上層吸収体５と下層吸収体６との間には、液拡散性を有する液拡散性シート７が配設されている。そして、この液拡散性シート７は、透液性を有しており、１０ｇ／ｍ２以上４０ｇ／ｍ２以下の坪量を有するシート、例えば繊維太さは２デニール(ｄ)以上１０デニール(ｄ)以下の繊維を使用した親水性不織布や、複数の開口部を有する疎水性不織布などで形成された透液性シートで形成されている。
【００３２】
そして、この液拡散性シート７は、上層吸収体５および下層吸収体６のそれぞれの長手方向に沿った長手方向を有している。すなわち、この液拡散性シート７は、上層吸収体５および下層吸収体６それぞれの長手寸法に略等しい長さ寸法を有するとともに、この上層吸収体５の幅寸法より小さな幅寸法を有する細長略矩形状に形成されて、この上部吸収体５より幅狭に形成されている。また、この液拡散性シート７は、透液性表面シート２より厚く形成された嵩高のシートにて構成されている。
【００３３】
さらに、この液拡散性シート７は、この液拡散性シート７の幅方向の中心を、下層吸収体６の幅方向の中央部に対向させつつ、この下層吸収体６の長手方向に長手方向を揃えた状態で、この下層吸収体６と上層吸収体５との間に挿入されて取り付けられている。
【００３４】
次に、上記一実施の形態の作用について説明する。
【００３５】
吸収性物品本体１の前側部分1aが身体の腹側に位置し、この吸収性物品本体１の後側部分1bが身体の背側に位置し、この吸収性物品本体１の股下部1cが身体の股下を覆うように、この吸収性物品本体１の透液性表面シート２を身体に接触させて、この吸収性物品本体１を装着させる。
【００３６】
上述したように、上記第１の実施の形態によれば、吸収性物品本体１の透液性表面シート２と不透液性裏面シート３との間に吸収体４を介在させ、この吸収体４の上層吸収体５と下層吸収体６との間に、液拡散性を有する液拡散性シート７を介在させたことによって、これら上層吸収体５と下層吸収体６との間に液拡散層が形成される。したがって、透液性表面シート２を介して上層吸収体５を通過した液が液拡散性シート７によって拡散されから下層吸収体６に吸収されるので、これら上層吸収体５および下層吸収体６にて構成された吸収体４を効率良く使用できる。したがって、この吸収体４にて液の漏れをより確実に防止できる。
【００３７】
また、液拡散性シート７の長さを吸収体４の上層吸収体５および下層吸収体６それぞれの長さと略等しくし、さらに、この液拡散性シート７を上層吸収体５より幅狭にしたことにより、透液性表面シート２を通過した液が、この液拡散性シート７によって長手方向に沿って拡散される。したがって、この液拡散性シート７を設けたことにより、液が下層吸収体６の幅方向にしみ出すことを防止できる。
【００３８】
さらに、この液拡散性シート７を透液性表面シート２より厚く形成したことにより、この液拡散性シート７によって形成される液拡散層が厚くなって潰れにくくなるから、この液拡散層の形状を保持しやすくできる。この結果、透液性表面シート２を通過した液を、液拡散性シート７にて拡散させながら、吸収体４にて吸収できるから、この吸収体４の全体を有効に活用することができるので、液の漏れを確実に防止できる。
【００３９】
また、上層吸収体５および下層吸収体６に含まれている高分子吸収材によって液を確実に吸収できるとともに、上層吸収体５に含まれている高分子吸収材の坪量を、下層吸収体６に含まれている高分子吸収材の坪量より大きくしたことによって、液の逆戻りを防止できる。
【００４０】
さらに、上層吸収体５を略矩形状とし、下層吸収体６を長手方向の中央部の両側部が凹状に切り欠かれた略砂時計形状としたことにより、装着時のフィット性や、製造の簡便性を向上できる。
【００４１】
また、図３に示す第２の実施の形態のように、液拡散性シート７と下層吸収体６との間に層間部11を設けて、この層間部11に高分子吸収材12を介在させて配設することもできる。この層間部11に配設された高分子吸収材12の質量は、上層吸収体５に含まれている高分子吸収材の質量より小さい。また、この上層吸収体５に含まれている高分子吸収材の質量は、下層吸収体６に含まれている高分子吸収材の質量より小さい。すなわち、これら高分子吸収材12の質量については、下層吸収体６＞上層吸収体５＞層間部11の関係となるように、これら下層吸収体６、上層吸収体５および層間部11のそれぞれに充填されている。
【００４２】
この結果、液拡散性シート７と下層吸収体６との間に層間部11を形成し、この層間部11に高分子吸収材12を配設し、高分子吸収材12の質量を、下層吸収体６＞上層吸収体５＞層間部11となるようにしたことにより、液拡散性シート７によって拡散されて広がった液が、層間部11に配設された高分子吸収材12によって確実に吸収できる。
【００４３】
さらに、図４および図５に示す第３の実施の形態のように、上層吸収体５の長手方向の一端部である前端部に、長手方向に沿った開口部21を形成することもできる。この開口部21は、図４に示すように、吸収性物品本体１の前側部分1aに位置する上層吸収体５の前端縁から、この上層吸収体５の長手方向に沿った中央部より前側までに亘って形成されている。すなわち、この開口部21は、上層吸収体５の長手方向の中央部から、この長手方向の一端部である前端部に変位した位置に設けられている。
【００４４】
さらに、この開口部21は、上層吸収体５の長手方向の一方の端縁部である前端縁部まで延在されている。また、この開口部21は、上層吸収体５の幅方向の中央部に設けられており、液拡散性シート７より幅狭に形成されている。そして、透液性表面シート２と液拡散性シート７とは、図５に示すように、開口部21において接着剤にて部分的に接着されて接合部22で接合されている。このとき、これら接合部22は、全面的に接合した場合には液が通過し難くなり吸収体４に吸収されにくくなるので、ホットメルト接着剤などを使用して、螺旋状に巻回したスパイラス状や、直線を平行に離間させたビート状などに間欠的に塗布されて接合されている。
【００４５】
また、この液拡散性シート７は、この液拡散性シート７に部分的に塗布された接着剤によって上層吸収体５および下層吸収体６の少なくともいずれかの接合部23で部分的に接合されている。このとき、この液拡散性シート７は、上層吸収体５および下層吸収体６を覆うティッシュに接合されている。そして、このティッシュが透液性表面シート２に接合されている。
【００４６】
この結果、吸収性物品本体１の前側部分1aの中央部に開口部21が形成され、この開口部21には上層吸収体５が配設されていないので、この開口部21に位置する透液性表面シート２から液が入るとすぐに、この液が液拡散性シート７に伝わるから、この液を液拡散性シート７にて拡散しやすくできる。また、液拡散性シート７が上層吸収体５および下層吸収体６のいずれかに部分的に接合され、さらに、この液拡散性シート７が開口部21で透液性表面シート２に接合されているので、この液拡散性シート７がずれにくい。
【００４７】
さらに、この開口部21が形成されている場合に、液拡散性シート７を吸収体４とは異なる色の色付きとすることによって、この開口部21に色付きの液拡散性シート７が位置し、この開口部21以外の部分の液拡散性シート７が上層吸収体５によって隠れてしまうので、より開口部21を装着者に強調できるので、使い勝手を向上できる。
【００４８】
なお、上記第３の実施の形態の液拡散性シート７と下層吸収体６との間の層間部11に高分子吸収材12を配設することもできる。この高分子吸収材12を、吸収性物品本体１の前側部分1aあるいは後側部分1bの開口部21が位置していない側、すなわち長手方向に沿って間欠的に層間部11に配設させる。
【００４９】
すなわち、この開口部21の層間部11に高分子吸収材12を配設すると、この開口部21の上面に吸収体４が存在しないので、この高分子吸収材12が表面側に出てきてしまう可能性があるため、この部分に高分子吸収材12を配設しない方がよい。また、この開口部21を吸収性物品本体１の後側部分1bの中央部に設けてもよい。
【００５０】
また、この開口部21を上層吸収体５の前端縁部まで延出させたが、この開口部21を上層吸収体５の前端縁部より内側の部分まで延出させてもよい。
【００５１】
さらに、上記各実施の形態においては、吸収体４の形状は下層吸収体６が上層吸収体５より幅広であれば良いが、装着時のフィット性および製造の簡便性を考慮すると、この上層吸収体５を略矩形状とし、かつ下層吸収体６を長手方向の中央部の両側部が凹部に切り欠かれた略砂時計形状にすると良い。また、液拡散性シート７の形状は、特に限定されないが、製造の簡便性から略矩形状が良い。さらに、この液拡散性シート７は、液を透過する透液性を有するものであれば、この液拡散性シート７の素材自体は親水性および疎水性のどちらを有するものであってもよい。
【００５２】
また、上層吸収体５および下層吸収体６に含まれている高分子吸収材は同一でも異なるものであってもよいが、上層吸収体５に含まれている高分子吸収材の吸収速度が早いと、液拡散性シート７による液拡散層が有効に使われない可能性があるので、少なくとも上層吸収体５に含まれている高分子吸収材の吸収速度が遅いほうがよい。
【００５３】
さらに、吸収性物品本体１の縦方向を長手方向とし、この吸収性物品本体１の横方向を幅方向としたが、横方向に長手方向を有する吸収性物品本体１の場合には、この吸収性物品本体１の縦方向に沿った中央部に吸収体４や液拡散性シート７を取り付ければよい。
【図面の簡単な説明】
【００５４】
【図１】本発明の使い捨て吸収性物品の第１の実施の形態を示す展開平面図である。
【図２】図１中のＡ−Ａ断面図である。
【図３】本発明の使い捨て吸収性物品の第２の実施の形態を示す断面図である。
【図４】本発明の使い捨て吸収性物品の第３の実施の形態を示す展開平面図である。
【図５】図４中のＢ−Ｂ断面図である。
【符号の説明】
【００５５】
２    透液性表面シート
３    不透液性裏面シート
４    吸収体
５    上層吸収体
６    下層吸収体
７    液拡散性シート
11    層間部
12    高分子吸収材
21    開口部
【図１】
2006167196.tif 000003
【図２】
2006167196.tif 000004
【図３】
2006167196.tif 000005
【図４】
2006167196.tif 000006
【図５】
2006167196.tif 000007